(57)【特許請求の範囲】
【請求項１】
機体に取り付ける基板ケースに収容される制御基板と他の制御基板とを具備する遊技機であって、
前記他の制御基板から延びるケーブルの端部に設けられる第１コネクタと、
前記制御基板の縁部に設けられ、前記基板ケースに形成されたスリットを介して露出し、かつ前記第１コネクタが嵌合されることにより該制御基板と他の制御基板との間の電気的接続をなす第２コネクタと、
係合孔が複数形成され、前記第１コネクタおよび第２コネクタの嵌合状態を固定する固定機構と、
少なくとも前記固定機構を取り囲んで閉塞して、外部から該固定機構への接触を防ぐことにより、該固定機構の固定の解除を制限するコネクタ保護部材と、を備え、
前記コネクタ保護部材は、
前記第２コネクタの長手方向に沿って前記固定機構の第１の側面を覆い、かつ前記固定機構の係合孔に対応する位置において該係合孔と係合する第１係合凸部が設けられた第１結合片と、
前記第１結合片と前記固定機構を挟んで対向する位置において該固定機構の第２の側面を覆い、かつ前記第２コネクタの両端で前記第１結合片と直交するようにして該固定機構の第３の側面および第４の側面を覆い、さらに該固定機構における、前記第１コネクタと該第２コネクタとの接続面である上面を覆い、かつ前記固定機構の係合孔のうち、前記第１係合凸部と係合する係合孔の反対側に設けられた係合孔と係合する第２係合凸部が設けられた第２結合片と、
によって構成されており、前記第１結合片と前記第２結合片とが組み合わされることにより前記固定機構を取り囲み、
前記第１結合片または前記第２結合片には、その長手方向の一端に凸部が形成され、
前記凸部が形成された前記第１結合片または前記第２結合片に対して組み合わされる他方の結合片には、該凸部と係合されて固定される凹部が、該凸部に対応する位置に形成され、
さらに前記第１結合片または前記第２結合片には、前記凸部が形成された一端に対する他端において第１切除部が形成され、
前記第１切除部が形成された前記第１結合片または前記第２結合片に対して組み合わされる他方の結合片には、前記凹部が形成された一端に対する他端において、前記第１切除部の幅および厚さよりやや大きく形成されることにより該第１切除部を挿通可能とする挿通孔を有する第２切除部が形成され、
前記挿通された第１切除部と前記挿通孔の縁部とを支点に前記第１結合片または第２結合片が他方の結合片に対し回動可能であり、
前記第１係合凸部および前記第２係合凸部が前記固定機構の各係合孔にそれぞれ係合され、かつ前記第１切除部が前記第２切除部の挿通孔に挿通されるとともに、前記凹部に前記凸部が係合されて固定されることによって、前記第１結合片と前記第２結合片が組み合わされると、前記コネクタ保護部材が前記固定機構を閉塞するとともにロックし、
前記第１切除部および前記第２切除部の一方または双方が切除されることにより、該コネクタ保護部材の前記閉塞状態を解除可能であること、
を特徴とする遊技機。
【請求項２】
機体に取り付ける基板ケースに収容される制御基板と他の制御基板とを具備する遊技機であって、
前記他の制御基板から延びるケーブルの端部に設けられる第１コネクタと、
前記制御基板の縁部に設けられ、前記基板ケースに形成されたスリットを介して露出し、かつ前記第１コネクタが嵌合されることにより該制御基板と他の制御基板との間の電気的接続をなす第２コネクタと、
係合孔が複数形成され、前記第１コネクタおよび第２コネクタの嵌合状態を固定する固定機構と、
少なくとも前記固定機構を取り囲んで閉塞して、外部から該固定機構への接触を防ぐことにより、該固定機構の固定の解除を制限するコネクタ保護部材と、を備え、
前記コネクタ保護部材は、
前記第２コネクタの長手方向に沿って前記固定機構の第１の側面を覆い、かつ前記固定機構の係合孔と係合する第１凸部が設けられた板状部材と、一端から突出する鉤部と、他端において第１切除部とが設けられた第１結合片と、
前記第１結合片と前記固定機構を挟んで対向する位置において該固定機構の第２の側面を覆い、かつ前記第２コネクタの両端で第１結合片と直交するようにして該固定機構の第３の側面および第４の側面を覆い、さらに該固定機構における、前記第１コネクタと該第２コネクタとの接続面である上面を覆い、かつ前記固定機構の係合孔のうち前記第１凸部と係合する係合孔の反対側にある係合孔と係合する第２凸部と、一方の端縁から突出する第２切除部と、該第２切除部に設けられ前記第１切除部を挿通可能とする挿通孔と、該第２切除部側と反対側の他方の端縁に形成され前記鉤部の先端が係合されることにより該係合された該鉤部の離脱を規制する凹形状の固定凹部と、が設けられた第２結合片と、
によって構成されており、前記第１結合片と、前記第２結合片とが組み合わされることにより前記固定機構を取り囲み、
前記挿通孔に対し前記第１切除部が挿通されることにより、該挿通孔における該第１切除部と前記第２切除部との接触部分を支点として前記該第１結合片が該第２結合片に対し回動可能であり、かつ前記固定凹部に前記鉤部が係合されることにより、該第１結合片と該第２結合片が組合わされること、
を特徴とする遊技機。
【請求項３】
機体に取り付ける基板ケースに収容される制御基板と他の制御基板とを具備する遊技機であって、
前記他の制御基板から延びるケーブルの端部に設けられる第１コネクタと、
前記制御基板の縁部に設けられ、前記基板ケースに形成されたスリットを介して露出し、かつ前記第１コネクタが嵌合されることにより該制御基板と他の制御基板との間の電気的接続をなす第２コネクタと、
前記第２コネクタの長手方向の両端に対応する位置に設けられ、該長手方向に沿った第１の側面および該第１の側面の反対側である第２の側面それぞれに係合孔が形成され、前記第１コネクタおよび第２コネクタの嵌合状態を固定する固定機構と、
少なくとも前記固定機構を取り囲んで閉塞して、外部から該固定機構への接触を防ぐことにより、該固定機構の固定の解除を制限するコネクタ保護部材と、を備え、
前記コネクタ保護部材は、
前記第１の側面を覆う板状部材と、該板状部材に形成され、前記係合孔と同じ間隔で設けられ、かつ該係合孔それぞれの開口部分および内壁の形状とほぼ合致するように突出する第１凸部と、該板状部材の面の一端からその長手方向に突出して形成され先端が該突出方向と異なる方向へ折り返された鉤部と、該板状部材における該鉤部と同じ面かつ該鉤部と反対側の他端に形成された第１切除部と、が設けられた第１結合片と、
前記第２の側面を覆う第１の面と、該第１の面において前記係合孔それぞれと同じ間隔で形成され、該係合孔の開口部分および内壁の形状とほぼ合致する第２凸部と、該第１の面に直交し前記第１コネクタと前記第２コネクタとの接続面である上面を覆う第２の面と、該第１の面および第２の面と直交しかつ対向するように形成され、前記固定機構の第３の側面および第４の側面を覆う第３の面および第４の面と、該第１の面と平行であって該第３の面から突出する第２切除部と、該第２切除部に設けられ前記第１切除部の幅および厚さよりやや大きく形成されることにより該第１切除部を挿通可能とする挿通孔と、該第４の面側に設けられ前記鉤部を収容可能としかつ該鉤部が係合されることにより収容された該鉤部の離脱を規制する固定凹部と、を有する第２結合片と、
によって構成されており、前記第１結合片と、前記第２結合片とが組み合わされることにより前記固定機構を取り囲み、
前記第２結合片の挿通孔に対し前記第１結合片の第１切除部が挿通されることにより、該第１切除部と該挿通孔の縁部とを支点に該第１結合片または該結合片が他方の結合片に対し回動可能であり、かつ該第２結合片の固定凹部に前記鉤部が係合されることにより、該第１結合片と該第２結合片が結合され該回動が規制されること、
を特徴とする遊技機。
【請求項４】
機体に取り付ける基板ケースに収容される制御基板と他の制御基板とを具備する遊技機であって、
前記他の制御基板から延びるケーブルの端部に設けられる第１コネクタと、
前記制御基板の縁部に設けられ、前記基板ケースに形成されたスリットを介して露出し、かつ前記第１コネクタが嵌合されることにより該制御基板と他の制御基板との間の電気的接続をなす第２コネクタと、
係合孔が複数形成され、前記第１コネクタおよび第２コネクタの嵌合状態を固定する固定機構と、
少なくとも前記固定機構を取り囲んで閉塞して、外部から該固定機構への接触を防ぐことにより、該固定機構の固定の解除を制限するコネクタ保護部材と、を備え、
前記コネクタ保護部材は、
前記第２コネクタの長手方向に沿って前記固定機構の第１の側面を覆い、かつ第１凸部が設けられた板状部材と、一端から突出する第１鉤部と、他端において他の部分より薄く形成された第１切除部と、該第１切除部の先端から突出する第２鉤部とを有する第１結合片と、
前記第１結合片と前記固定機構を挟んで対向する位置において該固定機構の第２の側面を覆い、かつ前記第２コネクタの両端で第１結合片と直交するようにして該固定機構の第３の側面および第４の側面を覆い、さらに該固定機構における、前記第１コネクタと該第２コネクタとの接続面である上面を覆い、かつ前記係合孔と係合する第２凸部と、他の部分より薄く形成され一方の端縁から突出する第２切除部と、該第２切除部における前記第２鉤部と対応する位置に形成され該第２鉤部の先端が係合されることにより該係合された該第２鉤部の離脱を規制する第１固定凹部と、該第１固定凹部側と反対側であって前記第１鉤部と対応する位置に形成され前記第２鉤部が係合することにより該係合された該第２鉤部の離脱を規制する第２固定凹部と、を前記第２の側面側に有する第２結合片と、
前記第１固定凹部に前記第１鉤部が係合され、かつ前記第２固定凹部に前記第２鉤部が係合されることにより、前記第１結合片と前記第２結合片とが結合されること、
を特徴とする遊技機。
【請求項５】
前記制御基板は、遊技機の筐体の底面に対して直交するように配置され、かつ基板カバーによって周囲を覆われて保護され、
前記第２コネクタは、前記基板カバーの外側で隣接して配置されるとともに長手方向が前記底面に対して直交するように配置され、
前記コネクタ保護部材は、前記第１切除部および前記第２切除部が上方を向くように前記固定機構を取り囲むこと、
を特徴とする請求項１〜４のいずれか１項に記載の遊技機。
【発明の詳細な説明】
【技術分野】
【０００１】
本発明は、遊技機に対する不正行為を防止する技術に関する。
【背景技術】
【０００２】
従来、いわゆるパチンコやスロットマシンなどの遊技機の内部には、当該遊技機の動作内容（ゲームの演出や各種放置動作）を制御するＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等の制御素子を実装するメイン制御基板やサブ制御基板が基板ケースに収納されて装着されている。
【０００３】
メイン制御基板は、遊技機において各種作動する各部に接続される。例えば、スロットマシンにおけるメイン制御基板は、当該スロットマシンでの遊技の開始の契機となるスタートレバーおよび、各ドラム（リール）の回転を止めるためのストップボタン等が接続されたサブ制御基板と接続される。このサブ制御基板とメイン制御基板とは、複数のケーブルを束ねたハーネスの一端に形成されたコネクタをサブ制御基板に接続し、他端に形成されたコネクタをメイン制御基板に接続することによって接続される。
【０００４】
スロットマシンにおいては、スタートレバーや、ストップボタンの操作に応じ、コネクタ、ハーネスを介して制御基板に信号が送信され、当該信号に応じて制御基板の乱数発生器が乱数を生成する。そしてその生成された乱数によって当選役の成否や種類を定めている。
【０００５】
また従来、遊技機に対し不正改造などの改変を施し、作為的に不正な利益を得るという、不正行為が行われてきた。例えば、遊技機の制御基板の各素子を改造する行為や、遊技機の制御基板に接続されたハーネスのコネクタを遊技機から取り外し、正規の制御回路ではない不正な制御回路に接続するといったような行為が行われてきた。
【０００６】
このような不正行為に対しては、例えば次のような対策が採られてきた。一例としては、制御基板をケースで封止し、制御基板自体に対する改変を防止するといったものがある。他の例としては、制御基板にケーブル等を接続するためのコネクタとして、特殊な構造のコネクタを採用し、一度接続したコネクタの接続を解除する場合に、そのコネクタの一部を破壊しなければ接続が解除できないようにするといったものがある（例えば特許文献１）。
【０００７】
その他の例としては、遊技機の各部に接続されたハーネスの一端のコネクタと制御基板とを接続した後、当該接続された部分をカバー部材で封止するといったものがある（例えば、特許文献２）。
【０００８】
【特許文献１】特開２００６−１４９５３６号公報
【特許文献２】特開２００７−２０６３３号公報
【発明の開示】
【発明が解決しようとする課題】
【０００９】
遊技場に設置されるパチンコ機やスロット機などの遊技機については、機種の変更がなされるものである。この機種の変更においては、遊技機全体を交換するのではなく、変更前の機種に用いられた部材の一部をそのまま使用する場合がある。その場合、遊技機を構成する部材のうち、機種に依存して交換される部材のみを交換することとなる。交換する部材としては、例えば制御基板などがある。また、遊技機においては各部材、例えば制御基板の修理や交換をすることがある。
【００１０】
このような場合には、機種の変更や修理等に伴って制御基板と接続されたコネクタを外す必要が生じる。この作業は、遊技機内部が複雑な構造であることから、より簡便に行いうるものであることが要求される。この点、特許文献１に記載のコネクタにおいては、特殊な構造のコネクタを採用していることから取外す作業が煩雑となってしまう。さらに、特殊な構造の部品であることからコストが高くなってしまう。コネクタの接続を解除するたびにコネクタを破壊しなければならず、接続解除のたびに使用可能なコネクタやハーネスについて廃棄しなければならないおそれがある。
【００１１】
また、上述のように遊技機内部は、複数のハーネス等、各種部材が多数存在し、過密となっている。この点、特許文献２に開示された接続構造においては、コネクタの接続を解除する作業において接続部分を封止するカバー部材を破壊することになるが、特許文献２においては当該作業の効率についての記載がなく、当該封止部材においては作業効率について配慮がなされていない。つまり、この遊技機においては、制御基板の交換等に伴うコネクタの接続解除作業が非常に煩雑となるおそれがある。
【００１２】
本発明は、以上の問題点に鑑みてなされたものであって、その目的は、制御基板に接続されるコネクタを不正に取り外す行為を抑制するとともに、制御基板の交換等に伴うコネクタの接続解除作業を簡易に行うことを可能とする技術を提供することにある。
【課題を解決するための手段】
【００１３】
上記課題を解決するための、請求項１記載の発明は、機体に取り付ける基板ケースに収容される制御基板と他の制御基板とを具備する遊技機であって、前記他の制御基板から延びるケーブルの端部に設けられる第１コネクタと、前記制御基板の縁部に設けられ、前記基板ケースに形成されたスリットを介して露出し、かつ前記第１コネクタが嵌合されることにより該制御基板と他の制御基板との間の電気的接続をなす第２コネクタと、係合孔が複数形成され、前記第１コネクタおよび第２コネクタの嵌合状態を固定する固定機構と、少なくとも前記固定機構を取り囲んで閉塞して、外部から該固定機構への接触を防ぐことにより、該固定機構の固定の解除を制限するコネクタ保護部材と、を備え、前記コネクタ保護部材は、前記第２コネクタの長手方向に沿って前記固定機構の第１の側面を覆い、かつ前記固定機構の係合孔に対応する位置において該係合孔と係合する第１係合凸部が設けられた第１結合片と、前記第１結合片と前記固定機構を挟んで対向する位置において該固定機構の第２の側面を覆い、かつ前記第２コネクタの両端で前記第１結合片と直交するようにして該固定機構の第３の側面および第４の側面を覆い、さらに該固定機構における、前記第１コネクタと該第２コネクタとの接続面である上面を覆い、かつ前記固定機構の係合孔のうち、前記第１係合凸部と係合する係合孔の反対側に設けられた係合孔と係合する第２係合凸部が設けられた第２結合片と、によって構成されており、前記第１結合片と前記第２結合片とが組み合わされることにより前記固定機構を取り囲み、前記第１結合片または前記第２結合片には、その長手方向の一端に凸部が形成され、前記凸部が形成された前記第１結合片または前記第２結合片に対して組み合わされる他方の結合片には、該凸部と係合されて固定される凹部が、該凸部に対応する位置に形成され、さらに前記第１結合片または前記第２結合片には、前記凸部が形成された一端に対する他端において第１切除部が形成され、前記第１切除部が形成された前記第１結合片または前記第２結合片に対して組み合わされる他方の結合片には、前記凹部が形成された一端に対する他端において、前記第１切除部の幅および厚さよりやや大きく形成されることにより該第１切除部を挿通可能とする挿通孔を有する第２切除部が形成され、前記挿通された第１切除部と前記挿通孔の縁部とを支点に前記第１結合片または第２結合片が他方の結合片に対し回動可能であり、前記第１係合凸部および前記第２係合凸部が前記固定機構の各係合孔にそれぞれ係合され、かつ前記第１切除部が前記第２切除部の挿通孔に挿通されるとともに、前記凹部に前記凸部が係合されて固定されることによって、前記第１結合片と前記第２結合片が組み合わされると、前記コネクタ保護部材が前記固定機構を閉塞するとともにロックし、前記第１切除部および前記第２切除部の一方または双方が切除されることにより、該コネクタ保護部材の前記閉塞状態を解除可能であること、を特徴とする。
【００１４】
上記課題を解決するための、請求項２記載の発明は、機体に取り付ける基板ケースに収容される制御基板と他の制御基板とを具備する遊技機であって、前記他の制御基板から延びるケーブルの端部に設けられる第１コネクタと、前記制御基板の縁部に設けられ、前記基板ケースに形成されたスリットを介して露出し、かつ前記第１コネクタが嵌合されることにより該制御基板と他の制御基板との間の電気的接続をなす第２コネクタと、係合孔が複数形成され、前記第１コネクタおよび第２コネクタの嵌合状態を固定する固定機構と、少なくとも前記固定機構を取り囲んで閉塞して、外部から該固定機構への接触を防ぐことにより、該固定機構の固定の解除を制限するコネクタ保護部材と、を備え、前記コネクタ保護部材は、前記第２コネクタの長手方向に沿って前記固定機構の第１の側面を覆い、かつ前記固定機構の係合孔と係合する第１凸部が設けられた板状部材と、一端から突出する鉤部と、他端において第１切除部とが設けられた第１結合片と、前記第１結合片と前記固定機構を挟んで対向する位置において該固定機構の第２の側面を覆い、かつ前記第２コネクタの両端で第１結合片と直交するようにして該固定機構の第３の側面および第４の側面を覆い、さらに該固定機構における、前記第１コネクタと該第２コネクタとの接続面である上面を覆い、かつ前記固定機構の係合孔のうち前記第１凸部と係合する係合孔の反対側にある係合孔と係合する第２凸部と、一方の端縁から突出する第２切除部と、該第２切除部に設けられ前記第１切除部を挿通可能とする挿通孔と、該第２切除部側と反対側の他方の端縁に形成され前記鉤部の先端が係合されることにより該係合された該鉤部の離脱を規制する凹形状の固定凹部と、が設けられた第２結合片と、によって構成されており、前記第１結合片と、前記第２結合片とが組み合わされることにより前記固定機構を取り囲み、前記挿通孔に対し前記第１切除部が挿通されることにより、該挿通孔における該第１切除部と前記第２切除部との接触部分を支点として前記該第１結合片が該第２結合片に対し回動可能であり、かつ前記固定凹部に前記鉤部が係合されることにより、該第１結合片と該第２結合片が組合わされること、を特徴とする。
【００１５】
上記課題を解決するための、請求項３記載の発明は、機体に取り付ける基板ケースに収容される制御基板と他の制御基板とを具備する遊技機であって、前記他の制御基板から延びるケーブルの端部に設けられる第１コネクタと、前記制御基板の縁部に設けられ、前記基板ケースに形成されたスリットを介して露出し、かつ前記第１コネクタが嵌合されることにより該制御基板と他の制御基板との間の電気的接続をなす第２コネクタと、前記第２コネクタの長手方向の両端に対応する位置に設けられ、該長手方向に沿った第１の側面および該第１の側面の反対側である第２の側面それぞれに係合孔が形成され、前記第１コネクタおよび第２コネクタの嵌合状態を固定する固定機構と、少なくとも前記固定機構を取り囲んで閉塞して、外部から該固定機構への接触を防ぐことにより、該固定機構の固定の解除を制限するコネクタ保護部材と、を備え、前記コネクタ保護部材は、前記第１の側面を覆う板状部材と、該板状部材に形成され、前記係合孔と同じ間隔で設けられ、かつ該係合孔それぞれの開口部分および内壁の形状とほぼ合致するように突出する第１凸部と、該板状部材の面の一端からその長手方向に突出して形成され先端が該突出方向と異なる方向へ折り返された鉤部と、該板状部材における該鉤部と同じ面かつ該鉤部と反対側の他端に形成された第１切除部と、が設けられた第１結合片と、前記第２の側面を覆う第１の面と、該第１の面において前記係合孔それぞれと同じ間隔で形成され、該係合孔の開口部分および内壁の形状とほぼ合致する第２凸部と、該第１の面に直交し前記第１コネクタと前記第２コネクタとの接続面である上面を覆う第２の面と、該第１の面および第２の面と直交しかつ対向するように形成され、前記固定機構の第３の側面および第４の側面を覆う第３の面および第４の面と、該第１の面と平行であって該第３の面から突出する第２切除部と、該第２切除部に設けられ前記第１切除部の幅および厚さよりやや大きく形成されることにより該第１切除部を挿通可能とする挿通孔と、該第４の面側に設けられ前記鉤部を収容可能としかつ該鉤部が係合されることにより収容された該鉤部の離脱を規制する固定凹部と、を有する第２結合片と、によって構成されており、前記第１結合片と、前記第２結合片とが組み合わされることにより前記固定機構を取り囲み、前記第２結合片の挿通孔に対し前記第１結合片の第１切除部が挿通されることにより、該第１切除部と該挿通孔の縁部とを支点に該第１結合片または該結合片が他方の結合片に対し回動可能であり、かつ該第２結合片の固定凹部に前記鉤部が係合されることにより、該第１結合片と該第２結合片が結合され該回動が規制されること、を特徴とする。
【００１６】
上記課題を解決するための、請求項４記載の発明は、機体に取り付ける基板ケースに収容される制御基板と他の制御基板とを具備する遊技機であって、前記他の制御基板から延びるケーブルの端部に設けられる第１コネクタと、前記制御基板の縁部に設けられ、前記基板ケースに形成されたスリットを介して露出し、かつ前記第１コネクタが嵌合されることにより該制御基板と他の制御基板との間の電気的接続をなす第２コネクタと、係合孔が複数形成され、前記第１コネクタおよび第２コネクタの嵌合状態を固定する固定機構と、少なくとも前記固定機構を取り囲んで閉塞して、外部から該固定機構への接触を防ぐことにより、該固定機構の固定の解除を制限するコネクタ保護部材と、を備え、前記コネクタ保護部材は、前記第２コネクタの長手方向に沿って前記固定機構の第１の側面を覆い、かつ第１凸部が設けられた板状部材と、一端から突出する第１鉤部と、他端において他の部分より薄く形成された第１切除部と、該第１切除部の先端から突出する第２鉤部とを有する第１結合片と、前記第１結合片と前記固定機構を挟んで対向する位置において該固定機構の第２の側面を覆い、かつ前記第２コネクタの両端で第１結合片と直交するようにして該固定機構の第３の側面および第４の側面を覆い、さらに該固定機構における、前記第１コネクタと該第２コネクタとの接続面である上面を覆い、かつ前記係合孔と係合する第２凸部と、他の部分より薄く形成され一方の端縁から突出する第２切除部と、該第２切除部における前記第２鉤部と対応する位置に形成され該第２鉤部の先端が係合されることにより該係合された該第２鉤部の離脱を規制する第１固定凹部と、該第１固定凹部側と反対側であって前記第１鉤部と対応する位置に形成され前記第２鉤部が係合することにより該係合された該第２鉤部の離脱を規制する第２固定凹部と、を前記第２の側面側に有する第２結合片と、前記第１固定凹部に前記第１鉤部が係合され、かつ前記第２固定凹部に前記第２鉤部が係合されることにより、前記第１結合片と前記第２結合片とが結合されること、を特徴とする。
【００２０】
制御基板を、遊技機の筐体の底面に対して直交するように配置し、かつ基板カバーによって周囲を覆って保護し、かつ第２コネクタを、基板カバーの外側に隣接して配置するとともにその長手方向が遊技機底面に対して直交するように配置し、コネクタ保護部材の第１切除部および第２切除部が上方を向くように固定機構を取り囲むようにしてもよい（請求項５記載の発明に相当）。
【発明の効果】
【００２１】
本発明では、コネクタ保護部材が固定機構およびコネクタの周囲を取り囲むように構成されている。また、コネクタ保護部材の端部の第１切除部および第２切除部を切除することにより、固定機構とコネクタとの結合を解除可能に構成した。
【００２２】
これにより、制御基板に接続されるコネクタを取り外すにはコネクタ保護部材を取り外さなければならないので、コネクタを取り外す行為がなされるとコネクタ保護部材が破損または取り外された状態となり、不正行為が行われたことの発見が容易となる。結果として、コネクタを不正に取り外す行為を抑制することが可能である。また、このようにコネクタ保護部材を切除するのみでコネクタを取り外すことができるので、制御基板の交換等によるコネクタの接続解除作業を簡易に行うことが可能となる。
【発明を実施するための最良の形態】
【００２３】
［第１の実施の形態］
本発明に係る遊技機の一例としてパチンコ式スロットマシン（回胴式遊技機／以下、「パチスロ機」と示す）に具体化した第１実施形態を、図１〜図１３に基づき説明する。なお、以下の説明において「上」「下」「左」「右」「表（前）」「裏（後）」は、特に断らない限り、パチスロ機１０を機表側から見た場合（遊技場での設置状態において遊技者側から見た場合）の「上」「下」「左」「右」「表（前）」「裏（後）」を示すものとする。
【００２４】
（遊技機概要）
まず第１実施形態に係るパチスロ機１０の概略構成について図１を参照して説明する。図１は、第１実施形態にかかるパチスロ機１０の概略正面図である。
【００２５】
図１に示すパチスロ機１０は、前面が開口された直方体状の機本体１１を備えている。この機本体１１の開口前面における左側側縁には、ヒンジ（図示省略）が所定間隔で設けられおり、このヒンジに枢支されて前扉１２が前後方向へ開閉可能に組み付けられている。この前扉１２の前面略中央部にはパネル板１２ａが形成されている。さらにこのパネル板１２ａの略中央部には、機本体１１内に配設された後述の回転リール１９を視認可能とする図柄表示窓１２ｂが設けられている。
【００２６】
この前扉１２には各種装飾を施したパネル板１２ａ、後述の回転リール１９を視認可能とする図柄表示窓１２ｂ、パチスロ機１０における遊技に関する各種情報を報知する表示部１２ｃ、表示演出を行う表示演出部１２ｄ等が配設されている。
【００２７】
また、前扉１２の前面においてパネル板１２ａの右下方位置には、前扉１２の前面側遊技媒体であるメダルを投入するメダル投入口１３等が設けられている。また、前扉１２の前面において、パネル板１２ａの左下方位置であってメダル投入口１３と略対称となる位置にはＢＥＴボタン１４、ＭＡＸＢＥＴボタン１５が並設され、ＢＥＴボタン１４のやや下方にクレジットボタン１６が、ＭＡＸＢＥＴボタン１５のやや下方にスタートレバー１７が設けられている。また、パネル板１２ａの下方かつ前扉１２の前面の略中央位置においてクレジットボタン１６およびスタートレバー１７と並設されるようにストップボタン１８が３つ並設されている。また、メダル投入口１３から機本体１１側へ投入されるメダルの通路には、メダルの通過を検知するメダルセンサＳＥ１（図３参照）が配設されている。
【００２８】
パチスロ機１０では、メダル投入口１３から投入されたメダル、または遊技の結果、払い出された賞メダルを貯留データ（以下、「クレジット」と示す）として記憶する。また、ＢＥＴボタン１４およびＭＡＸＢＥＴボタン１５は、当該クレジットされた貯留データから、遊技者が任意に設定した賭率に合わせて、１ゲーム分のメダルを投入するための操作手段となるものである。
【００２９】
スタートレバー１７は、操作位置と原位置との間を揺動可能に構成され、原位置の方向に付勢されている。遊技者によりスタートレバー１７を付勢力に抗して揺動操作されるとオンし、スタートレバー１７が付勢力により原位置に戻るとオフするレバースイッチ（図示省略）が設けられている。３つのストップボタン１８は、３つの回転リール１９に対応されている。またこれらのストップボタン１８それぞれに対応して押圧スイッチ（図示省略）が設けられている。
【００３０】
また、図１に示すように前扉１２の前面における下部中央にはメダル排出口２０が形成され、当該メダル排出口２０と連続して形成され、メダル排出口２０から排出されたメダルを受ける受皿２１とが配設されている。
【００３１】
次に、パチスロ機１０の機本体１１の内部構成の概略について図２を参照して説明する。図２は、第１実施形態にかかるパチスロ機１０の前扉１２が開かれた状態において、パチスロ機１０の機本体１１における内部構成を前から見た概略正面図である。
【００３２】
パチスロ機１０の機本体１１の内部の上方であって機本体１１の底面と直交する後面側の内壁に、後述の主制御基板３０が装着されている。この主制御基板３０は不正に改変・交換されないよう、主制御基板ケース３１に全体を覆われて収容されている。そして主制御基板３０は主制御基板ケース３１ごと機本体１１にカシメ固定されている。このカシメ固定は締めることは可能であるが緩めることが不可能な打ち込みネジ３２によってなされる。このように主制御基板３０が主制御基板ケース３１ごと機本体１１にカシメ固定され、かつネジ固定が解除不可能であることにより、第三者が主制御基板ケース３１を破壊しない限り、主制御基板ケース３１は本体から取り外せない構成となっている。
【００３３】
また主制御基板ケース３１の左側縁部には、後述の中継基板５０と主制御基板３０との接続に用いる雌コネクタ３３が形成される。この雌コネクタ３３には、中継基板５０と主制御基板３０との接続に用いるケーブル３９の端部に形成された雄コネクタ３８が嵌挿されて接続される（図５参照）。本実施形態におけるパチスロ機１０はこの雌コネクタ３３と、雄コネクタ３８との接続を固定するコネクタロック部材３３１・３３２（本発明の「固定機構」の一例に相当する）がコネクタ保護カバー７０に覆われている。これらの詳細については後述する。
【００３４】
また図２に示すようにこの主制御基板ケース３１の下方かつ機本体１１の中央には回転リール１９が回転可能に取り付けられている。そしてそのさらに下方には、ホッパー２２が取り付けられている。このホッパー２２は主制御基板３０等に制御されて、メダルの払い出しを行う。
【００３５】
（制御系の構成）
次に、図３を参照してパチスロ機１０の制御構成の概要について説明する。図３は、第１実施形態にかかるパチスロ機１０の制御系を示す概略ブロック図である。パチスロ機１０においては機本体１１に主制御基板３０が配設されている（図２参照）。図３に示すように、パチスロ機１０においては機全体の制御を実行する主制御基板３０に、パチスロ機１０の各部の駆動制御・表示制御等を実行する副制御基板４０や、遊技者の操作にかかる操作信号や各センサからの検知信号を主制御基板３０に送信する中継基板５０等が接続されている。また、これら主制御基板３０、副制御基板４０、中継基板５０は電源基板６０に接続され、電力の供給を受ける。
【００３６】
図３に示すように、この主制御基板３０は、ＣＰＵ（Ｃｅｎｔｒａｌ  Ｐｒｏｃｅｓｓｉｎｇ  Ｕｎｉｔ）３０ａ、ＲＯＭ（Ｒｅａｄ  Ｏｎｌｙ  Ｍｅｍｏｒｙ）３０ｂ、ＲＡＭ（Ｒａｎｄｏｍ  Ａｃｃｅｓｓ  Ｍｅｍｏｒｙ）３０ｃ、乱数発生器３０ｄなどの素子を備えている。主制御基板３０は、ＣＰＵ３０ａが、ＲＯＭ３０ｂに記憶されたプログラムを適宜ＲＡＭ３０ｃに展開し、ＲＡＭ３０ｃをワークエリアとしてプログラムを解読および実行をする。また、中継基板５０から各種操作信号や、検出信号を受けて処理する。また、主制御基板３０には副制御基板４０や中継基板５０等との接続に用いる複数の雌コネクタ３３〜３７が配設されている（図４参照）。
【００３７】
図３に示すように中継基板５０は、ＢＥＴボタン１４、ＭＡＸＢＥＴボタン１５、クレジットボタン１６、スタートレバー１７、ストップボタン１８、メダルセンサＳＥ１および後述のリールセンサＳＥ２〜ＳＥ４に接続されている。ＢＥＴボタン１４、ＭＡＸＢＥＴボタン１５、クレジットボタン１６、スタートレバー１７、ストップボタン１８が操作されると、中継基板５０は操作に応じた操作信号を主制御基板３０に送信する。また中継基板５０はメダルセンサＳＥ１等がそれぞれ検出した信号を主制御基板３０に送信する。この中継基板５０と主制御基板３０とは雌コネクタ３３〜３７やケーブル３９等によって接続される。これらによって上記の各種信号の送受信が可能となる。
【００３８】
例えば、メダル投入口１３からメダルが投入されるとメダルセンサＳＥ１がメダルの通過を検知し、中継基板５０がメダルの通過検知信号を主制御基板３０に送信する。主制御基板３０は通過検知信号を受け、当該信号に応じた数のクレジットをＲＡＭ３０ｃ等に記憶させる。また、ＢＥＴボタン１４、ＭＡＸＢＥＴボタン１５が操作されると、中継基板５０が当該操作に応じた操作信号を主制御基板３０に送信する。主制御基板３０は操作信号を受け、当該信号に応じて賭数をＲＡＭ３０ｃ等に記憶させる。
【００３９】
スタートレバー１７が操作されると、レバースイッチがオンされ、レバースイッチがオンされると、中継基板５０が当該操作に応じた操作信号を主制御基板３０に送信する。主制御基板３０は操作信号を受け、副制御基板４０に３つの回転リール１９を一斉に回転させる制御を行う。同時に主制御基板３０は、乱数発生器３０ｄから１の乱数を読み込み、当該読み込んだ乱数に基づいてパチスロ機１０の遊技における役抽選の処理を実行し、抽選結果をＲＡＭ３０ｃ等のメモリに記憶する。
【００４０】
中継基板５０は、ストップボタン１８それぞれが操作されると、当該操作に応じた操作信号を主制御基板３０に送信する。主制御基板３０は操作信号を受け、副制御基板４０に、操作されたストップボタン１８に対応する回転リール１９それぞれの回転を停止させる制御を行う。全ての回転リール１９が停止して、停止した回転リール１９の周面にそれぞれ描かれる３個の図柄が、上記メモリに記憶された抽選結果に対応する図柄になると、遊技における役が確定する。
【００４１】
遊技において、遊技媒体の払い出しが行われる役として、セブン役、バー役、ベル役、プラム役、チェリー役があり、遊技媒体の払い出しが行われない役としてハズレ役、リプレイ役がある。ハズレ役の入賞を決定した場合は、メダルの付与を行わず、１回のゲームを終了させる。リプレイ役の入賞を決定した場合は、再度クレジットを消費せずに、当該リプレイ役の入賞の契機となったゲームにおいてベットされた賭数と同じ賭数で次のゲームを行うことができるようになる。
【００４２】
主制御基板３０は、遊技における役が確定した場合、その役に応じた枚数の遊技媒体（メダル）を払い出すように払出装置を制御する。その他、主制御基板３０は、各基板からのエラー信号を受けてエラー処理を実行し、エラー報知コマンドの送出を行う。
【００４３】
図３に示す副制御基板４０は、サブＣＰＵ４０ａ、ＲＯＭ４０ｂ、ＲＡＭ４０ｃを備えている。副制御基板４０は、主制御基板３０からの指示を表示部１２ｃや表示演出部１２ｄなどの各表示部の表示・演出制御を実行し、また各部の駆動部（図示省略）の駆動制御を実行する。
【００４４】
（主制御基板ケースの構成）
次に、図２および図４を参照して、主制御基板ケース３１について説明する。図４（Ａ）は、第１実施形態にかかる主制御基板ケース３１を示す概略斜視図である。図４（Ｂ）は、図４（Ａ）におけるＡ−Ａ断面図である。
【００４５】
主制御基板３０は主制御基板ケース３１に全体が覆われ、図２に示すようにパチスロ機１０の機本体１１の後面側の内壁に配設されている。この主制御基板ケース３１は図４に示すように、主制御基板３０の表面（ＣＰＵ３０ａなどの素子が実装される側の面）を覆うように形成されたカバー部材３１１と、主制御基板３０の裏面を覆うように形成されたトレー部材３１２とを備えている。図４（Ｂ）では、当該図の上側が主制御基板３０の表面側に相当し、当該図４の下側が主制御基板３０の裏面側に相当している。
【００４６】
トレー部材３１２は、方形状の平板を備えており、トレー部材３１２の当該平板上には主制御基板３０が固定される（図示省略）。またトレー部材３１２は、当該主制御基板３０が固定された状態で機本体１１の後面側の内壁に対し固定される（図２参照）。
【００４７】
またカバー部材３１１はトレー部材３１２に組み合わされる。このカバー部材３１１とトレー部材３１２とで主制御基板３０におけるＣＰＵ３０ａ等の各素子を覆って内部に収容する。また、主制御基板３０の表面には、副制御基板４０や中継基板５０などとの接続に用いる複数の雌コネクタ３３〜３７が配設されている。主制御基板３０の裏側には回路パターン（接続パターン／図示省略）が形成されている。
【００４８】
またカバー部材３１１とトレー部材３１２とは、主制御基板３０の表面に実装されたＣＰＵ３０ａなどの素子、また主制御基板３０の裏側の回路パターン（接続パターン）などを外部から容易に透過可能なように、高い透明性を有するポリカーボネート（Ｐｏｌｙｃａｒｂｏｎａｔｅ）樹脂により形成されている。
【００４９】
カバー部材３１１の下縁部及び両側縁部には、主制御基板３０に配設された雌コネクタ３３〜３７の位置および形状等に対応させて、コネクタ用スリット（貫通孔）３１３がそれぞれ開設されている。各雌コネクタ３３〜３７は、各コネクタ用スリット３１３を通ってカバー部材３１１の外部へ突出している。
【００５０】
カバー部材３１１の下縁部及び側縁部は、主制御基板３０の表面に対してわずかな隙間をもって近接している。その隙間は、カバー部材３１１の外部からコネクタ用スリット３１３を通して、ＣＰＵ３０ａ等の素子が収容されているカバー部材３１１の内部へ針金やマイナスドライバーなどの治具を挿入できない程度に設定されている。
【００５１】
また本実施形態における主制御基板ケース３１は、カシメ固定する方向にのみ移動可能な打ち込みネジ３２を備えて構成される。打ち込みネジ３２の軸部の周面は、螺旋のピッチが広めである複数の線条を有している。また当該軸部の複数の線状部分によって、打ち込みネジ３２の受け側の孔部（図示省略）内周面の径より大きく形成される。これによって打ち込みネジ３２の軸部は、当該ネジの受け側の孔部の内周面に食い込むことになる。したがって、主制御基板ケース３１のカシメ固定後においては、打ち込みネジ３２を抜き出す方向の力に対して抵抗する力が働くので、打ち込みネジ３２を緩める、または抜くという行為によって主制御基板ケース３１を取り外せないように構成されている。
【００５２】
またこの打ち込みネジ３２は主制御基板ケース３１のカバー部材３１１とトレー部材３１２とを貫通して、機本体１１の後面側の内壁まで到達して主制御基板ケース３１をカシメ固定する。これによって主制御基板ケース３１ごと主制御基板３０を機本体１１に固定することができる。打ち込みネジ３２は締めることは可能であるが緩めることできないように形成されているためネジ固定が解除不可能である。つまり、第三者が主制御基板ケース３１を破壊しない限り、主制御基板ケース３１は本体から取り外せない構成となっている。
【００５３】
このようにして、主制御基板ケース３１は治具等が入る隙間なく形成され、破壊することなく開放することが困難であるため、主制御基板３０に対する不正な改変等を防止することができ、仮に主制御基板ケース３１が破壊されても発見が容易であるため、主制御基板３０に対する不正な改変を防止することが可能である。
【００５４】
（コネクタおよびコネクタロック部材の構成）
次に、図４〜図６を参照して、雌コネクタ３３、雄コネクタ３８およびコネクタロック部材３３１・３３２について説明する。図５は、第１実施形態にかかる主制御基板３０と中継基板５０との接続に用いる雌コネクタ３３および、取付前のコネクタ保護カバー７０を示す概略斜視図である。なお、図５においてカバー部材３１１およびケーブル３９はその全体を示すことなく一部図示を省略している。
【００５５】
本実施形態において図５に示す雌コネクタ３３は、主制御基板３０と中継基板５０とを接続するものである。上記説明したように中継基板５０と主制御基板３０との間では、パチスロ機１０における遊技の結果や、メダルの払い出しに関わる重要な情報の送受信を行っているため、当該部分について不正行為（改変、交換等）が行われないように留意する必要がある。
【００５６】
図４および図５に示すように主制御基板３０に配設された雌コネクタ３３は、ケーブル３９の一端に形成された雄コネクタ３８が嵌合され、電気信号の送受信を可能とするものである。このケーブル３９は、雄コネクタ３８側の一端に対する他端が中継基板５０に接続される。この雌コネクタ３３は、雄コネクタ３８の外面を収容するコネクタハウジングを有している。このコネクタハウジングは略直方体形状の嵌合凹部を有している。当該嵌合凹部の開口側と反対側の端面は主制御基板３０に半田付けおよび嵌合等によって固定され、これによって雌コネクタ３３全体も固定される。これに対して雌コネクタ３３の嵌合凹部の開口側には、当該開口する側へ向かって突出する複数の接続端子を備えている（図２参照）。
【００５７】
雄コネクタ３８は、ケーブル３９における中継基板５０側に接続された一端と反対側に形成される。この雄コネクタ３８は雌コネクタ３３の嵌合凹部とほぼ同じ形状に形成され当該雌コネクタ３３のコネクタハウジングに収容される。また雄コネクタ３８の端面には雌コネクタ３３の接続端子が接続される複数の接続孔（図示省略）を備えている。
【００５８】
また図４（Ｂ）および図５に示すように雌コネクタ３３の両端にはコネクタロック部材３３１・３３２が設けられている。このコネクタロック部材３３１等は主制御基板３０側が雌コネクタ３３に軸支されており、それに対する先端側は図２に示す状態において雌コネクタ３３から離れる方向に移動されて、ロック解除状態となっている。またコネクタロック部材３３１は、図４（Ｂ）に示すように雌コネクタ３３に雄コネクタ３８が嵌合されて接続されると、雌コネクタ３３に近づく方向に回動される。図４（Ｂ）に示すように雄コネクタ３８が雌コネクタ３３に完全に入りきると、コネクタロック部材３３１・３３２の係止爪３３３それぞれが雄コネクタ３８の上面に係合して雌コネクタ３３と雄コネクタ３８とを係止固定し、ロックする。
【００５９】
また、コネクタロック部材３３１・３３２の上記先端側の側面の両側には、図５に示すように係合孔３３５〜３３８が設けられている。この係合孔３３５〜３３８には後述のコネクタ保護カバー７０の第１カバー片７１と第２カバー片７２（本発明における「第１結合片」および「第２結合片」の一例に該当する）に設けられた係合凸部７１ｂ・７１ｃ、係合凸部７２ｂ・７２ｃが係合される。これら係合孔３３５〜３３８はコネクタ保護カバー７０の取付の際の位置合わせや、コネクタ保護カバー７０の取付後における固定を強化させるためのものである。
【００６０】
（コネクタ保護カバーの構成）
次に、図４〜図６を参照してコネクタ保護カバー７０について説明する。図６（Ａ）は、第１実施形態にかかるカバー部材３１１およびコネクタ保護カバー７０を示す概略平面図である。また、図６（Ｂ）は、図６（Ａ）の矢視Ｘ方向から見た概略側面図である。また、図６（Ｃ）は、図６（Ｂ）におけるＢ−Ｂ断面図である。なお図６においては、カバー部材３１１およびケーブル３９についてその全体を示すことなく、一部図示を省略している。
【００６１】
図６（Ａ）に示すようにコネクタ保護カバー７０は、ポリカーボネート樹脂により形成された第１カバー片７１および第２カバー片７２によって構成され、当該第１カバー片７１と第２カバー片７２とが雌コネクタ３３両端のコネクタロック部材３３１・３３２を取り囲み、これらの周囲を覆うように組み合わされて、コネクタ保護カバー７０を構成する（図５・図１１参照）。
【００６２】
この第１カバー片７１と第２カバー片７２はおおよそ次のようにして組み合わされる。まず、端部に形成された第１切除部７１ｆを、第２カバー片７２の第２切除部７２ｆの挿通孔７２ｈに対して挿通させる（図８〜図１０参照）。次に当該挿通させた第１切除部７１ｆと第２切除部７２ｆの接点を支点として第１カバー片７１を回動させ、第１カバー片７１の係合フック７１ｄを第２カバー片７２の固定凹部７２ｄに収容させる。このとき係合フック７１ｄの先端は第２カバー片７２の固定凹部７２ｄの掛止部７２ｅに掛止されておりこれによって第１カバー片７１が第２カバー片７２に対して外れないようになり、双方が互いに固定されロックされる（図１１および図１２参照）。
以下、第１カバー片７１、第２カバー片７２ごとに説明する。
【００６３】
〈第１カバー片〉
コネクタ保護カバー７０を構成する第１カバー片７１は、図５に示すように平板状の板状部材７１ａを備えている。当該板状部材７１ａにおける平面部分の一端側には、図６（Ａ）に示すような係合フック７１ｄ（本発明における「鉤部」の一例に該当する）が設けられている。この係合フック７１ｄは板状部材７１ａから略直交するように突出し、かつ先端は板状部材７１ａに向かって曲げられ折り返され、すなわち鉤形に形成される。この係合フック７１ｄは、後述の第２カバー片７２における固定凹部７２ｄ（本発明における「凹部」、「固定凹部」の一例に該当する）に収容され、その先端は掛止部７２ｅに掛止される。
【００６４】
また、第１カバー片７１の板状部材７１ａにおける係合フック７１ｄ側の一端に対する他端には、図５および図６（Ａ）・（Ｃ）に示すような段差７１ｅが設けられている。すなわち板状部材７１ａは平板状に形成されているが、当該他端側は係合フック７１ｄの突出方向かつ板状部材７１ａの延伸方向と直交する方向に折れ曲がっている。さらにこの折れ曲がった板状部材７１ａの他端側は再び板状部材７１ａの延伸方向へ向かって直交し折れ曲がるように構成され、段差７１ｅを形成している（図５および図６（Ａ）・（Ｃ）参照）。この段差７１ｅが係合フック７１ｄの突出方向に突き出す長さは、少なくとも後述の第２カバー片７２における第２切除部７２ｆの厚さ以上となる。
【００６５】
また図５および図６（Ａ）に示すように、この板状部材７１ａの他端側における段差７１ｅ部分には、板状部材７１ａと同方向に延伸する第１切除部７１ｆが設けられている。この第１切除部７１ｆにおける基部の幅（突出方向と直交する方向の長さ）は他の部分より狭く形成される。またこの第１切除部７１ｆは略方形状に形成されるとともに図５に示すように突出方向の先端側の角が取られて形成される。これは第１切除部７１ｆを挿通孔７２ｈに対して円滑に挿通可能とするためである。
【００６６】
第１カバー片７１の板状部材７１ａの段差７１ｅは、後述の第２切除部７２ｆと第１切除部７１ｆとの接点を支点に第１カバー片７１の係合フック７１ｄを第２カバー片７２の固定凹部７２ｄに近接させるために必要となる。すなわち、板状部材７１ａにおける第１切除部７１ｆ側の端部に段差がなければ、第１カバー片７１を第２カバー片７２側に回動させても、係合フック７１ｄが固定凹部７２ｄに到達する前に、第１切除部７１ｆと第２切除部７２ｆとが双方の厚みにより突き当たってしまい、第１カバー片７１がそれ以上、第２カバー片７２に近接できなくなってしまう。
【００６７】
そのため本実施形態における板状部材７１ａには段差７１ｅを設けている。これによって当該段差７１ｅにより第１カバー片７１が第２カバー片７２に近接する方向に回動されても、係合フック７１ｄが固定凹部７２ｄに到達する前に第１切除部７１ｆが第２切除部７２ｆに当接することはなく（図１２（Ｃ）参照）、円滑にコネクタ保護カバー７０の組み合わせ作業を行うことを可能とする。
【００６８】
また図５および図６（Ａ）に示すように、第１カバー片７１の板状部材７１ａにおいては一端側の係合フック７１ｄと他端側の段差７１ｅとの間に、係合フック７１ｄの突出方向と同方向に突出する一対の係合凸部７１ｂ・７１ｃが設けられている。この係合凸部７１ｂは、コネクタ保護カバー７０をコネクタロック部材３３１・３３２に装着させた際に係合孔３３５に係合されるものである。同様に係合凸部７１ｃは当該装着時において係合孔３３７内に収容され、係合される。したがって、係合凸部７１ｂ・７１ｃは係合孔３３５・３３７に係合可能となるように、係合孔３３５・３３７の内形に合わせた大きさに形成される。
【００６９】
一方の係合凸部７１ｂは係合フック７１ｄの位置から所定距離分だけ離れた位置に設けられる。この所定距離とは、後述の第２カバー片７２における固定凹部７２ｄを構成する四方の壁のうち、固定凹部７２ｄの中央側に位置する壁（後述の第４の面）の厚さと、コネクタロック部材３３１における端縁（図５におけるコネクタロック部材３３１の左端）から係合孔３３５までの厚さとを合わせた長さより、少なくとも長い距離である。
【００７０】
また図５および図６（Ａ）に示すように、第１カバー片７１の板状部材７１ａにおいては、他方の係合凸部７１ｃが、係合凸部７１ｂの位置から所定距離分だけ離れた他端側の位置に設けられる。この所定距離とは、図５に示すようなコネクタロック部材３３１の固定状態における、係合孔３３５と係合孔３３７との間の距離とほぼ同じ間隔である（図１２（Ｃ）参照）。
【００７１】
この係合凸部７１ｂ・７１ｃは、第１カバー片７１をコネクタロック部材３３１・３３２に取付ける際に、位置合わせに用いられる。さらに係合凸部７１ｂ・７１ｃはコネクタロック部材３３１・３３２にコネクタ保護カバー７０が取付られた後において、当該コネクタロック部材３３１・３３２に対するコネクタ保護カバー７０の固定状態を確実にさせるものである。また、取付後のコネクタ保護カバー７０を、コネクタロック部材３３１・３３２から離隔させる方向に移動させようとしても、係合凸部７１ｂ・７１ｃが係合孔３３５・３３７に係止されて取り外すことが困難となる。
【００７２】
また図５に示すように、第１カバー片７１における板状部材７１ａは、段差７１ｅよりやや中央側となる部分が他の部分の幅より広くなるように膨出されて形成される。この幅は少なくとも第２カバー片７２の第２切除部７２ｆにおける挿通孔７２ｈの幅より広くなるような幅となる。第２カバー片７２における挿通孔７２ｈに第１切除部７１ｆを挿通させるとき、板状部材７１ａの部分まで挿通孔７２ｈに入り込んでしまうと、係合フック７１ｄが固定凹部７２ｄの位置に合わなくなり、第１切除部７１ｆの位置の調整をしなければならない。したがって板状部材７１ａの段差７１ｅ側を膨出させて形成することにより、挿通孔７２ｈに第１切除部７１ｆを挿通させるとき、当該膨出部分が挿通孔７２ｈの縁部に係止されることによって板状部材７１ａが挿通孔７２ｈに入ってしまうのを防止することができる。
【００７３】
また図５および図６（Ｂ）に示すように第１カバー片７１は、板状部材７１ａにおける長手方向の一辺から係合フック７１ｄおよび係合凸部７１ｂ・７１ｃと同じ方向に突出する上面カバー７１ｇが設けられている。この上面カバー７１ｇは、コネクタ保護カバー７０がコネクタロック部材３３１・３３２に取り付けられたときに、後述の第２カバー片７２とともに、雌コネクタ３３に嵌合され接続された雄コネクタ３８の上面（主制御基板３０側と反対側の面）を覆うものである。
【００７４】
また図５および図６（Ａ）に示すようにこの上面カバー７１ｇには、後述の第２カバー片７２における上面カバー７２ｇにおけるフック（図示省略）と対応する位置に、当該フックとほぼ同じ大きさの孔部が設けられている。コネクタ保護カバー７０が組み合わされたときこの孔部には当該フックが係合し、上面カバー７１ｇと上面カバー７２ｇとが係止固定され、第１カバー片７１と第２カバー片７２の固定を補助する。
【００７５】
また図６（Ａ）・（Ｂ）に示すように、板状部材７１ａの係合フック７１ｄ側の端部であって板状部材７１ａにおける上面カバー７１ｇが形成されている一辺と対向する辺から、上面カバー７１ｇと略平行かつ板状部材７１ａと直交するようにフックカバー７１ｈが設けられている。このフックカバー７１ｈは、図６（Ａ）・（Ｂ）に示すように係合フック７１ｄにおける主制御基板３０側（図６（Ｂ）のＹ方向）の面をすべて覆うような大きさに形成される。コネクタ保護カバー７０がコネクタロック部材３３１・３３２に取り付けられたとき、このフックカバー７１ｈ、後述の第２カバー片７２の固定凹部７２ｄおよび板状部材７１ａによって、係合フック７１ｄの全体を覆うこととなる。
【００７６】
したがってコネクタ保護カバー７０の取付後において、コネクタ保護カバー７０を取り壊さずに針金やその他の治具を用い、不正に係合フック７１ｄと後述の第２カバー片７２との掛止状態を解除することを防止することができる。
【００７７】
また図５に示すように、第１カバー片７１の板状部材７１ａは、フックカバー７１ｈが設けられている側の辺が、係合凸部７１ｂ・７１ｃの間にわたって一部切り取られたように幅が狭くなっている。コネクタ保護カバー７０をコネクタロック部材３３１・３３２に取り付けた際、この切欠かれた部分からは、図５に示す雄コネクタ３８の側面からケーブル３９が膨出される。
【００７８】
このように板状部材７１ａを切欠くことにより。コネクタ保護カバー７０の取付時において雄コネクタ３８から膨出するケーブル３９と板状部材７１ａとが重ならないようにすることができる。したがってケーブルの３９の膨出する厚み分だけ、コネクタ保護カバー７０の内壁とコネクタロック部材３３１・３３２との距離が離れる事態を防止することができる。結果として、コネクタ保護カバー７０とコネクタロック部材３３１・３３２との隙間から治具等によって不正な改変等が行われる事態を回避することができる。
【００７９】
〈第２カバー片〉
次にコネクタ保護カバー７０の他方を構成する第２カバー片７２について図５および図６を参照して説明する。
【００８０】
第２カバー片７２は、図５に示すように平板状の板状部材７２ａ（本発明における「第１の面」の一例に該当する）を備えている。当該板状部材７２ａも第１カバー片７１の板状部材７１ａと同様に、係合孔３３６・３３８と係合する係合凸部７２ｂ・７２ｃを備えている。また、係合凸部７２ｂ・７２ｃの間の長さも係合孔３３６・３３８の間隔と同じ間隔で形成される。さらに板状部材７２ａは、第１カバー片７１における板状部材７１ａと同様に雄コネクタ３８の側面から膨出するケーブル３９と重ならないように、係合凸部７２ｂ・７２ｃの間にわたって幅が狭くなるように切欠かれている（図５）。
【００８１】
また図５に示すように板状部材７２ａの長手方向の一辺から、当該板状部材７２ａと直交するように上面カバー７２ｇ（本発明における「第２の面」の一例に該当する）が形成される。上面カバー７２ｇは主制御基板３０側（図５における下方）の面において第１カバー片７１の上面カバー７１ｇの上記孔部に係合するフック（図示省略）が設けられている。
【００８２】
図５に示すように第２カバー片７２の板状部材７２ａにおける係合凸部７２ｂ側の端部には、第１カバー片７１の係合フック７１ｄが収容される固定凹部７２ｄが設けられている。この固定凹部７２ｄは、図５および図６（Ｃ）に示すように上面カバー７２ｇの端縁側から板状部材７２ａの方向へ陥没するように形成される。また図５に示すように固定凹部７２ｄは４つの面に囲われて構成される。
【００８３】
この４つの面のうち第１の面は板状部材７２ａにおける係合凸部７２ｂ・７２ｃが形成されている側の面であって係合凸部７２ｂ側の端部側の一部となる。第２の面は、上面カバー７２ｇにおける主制御基板３０側（図６（Ｂ）におけるＹ方向側）の面であって係合凸部７２ｂ側の端部側の一部となる。第３の面および第４の面は、第１・第２の面と直交し、それぞれが対向するように配置される。すなわち、第３の面は板状部材７２ａの端縁と上面カバー７２ｇの端縁と直交するように連続して形成される。第４の面は、第３の面と所定距離分だけ離れた位置において形成される。この所定距離とは、第１カバー片７１の係合フック７１ｄが収容可能となる長さである。
【００８４】
この第４の面における係合凸部７２ｂが突出する方向側の端縁には、図５および図６（Ｃ）に示すように、上記第３の面側へと突出する掛止部７２ｅが形成される。この掛止部７２ｅが第３の面の方向へ突出する長さは、係合フック７１ｄの先端が掛止される程度の長さである。またこの掛止部７２ｅにおける第２の面と反対側（主制御基板３０側）からは、図５に示すような第３の面へ突出するフレーム７２ｋが設けられている。
【００８５】
このフレーム７２ｋは図５および図６（Ｃ）に示すように第４の面と第３の面との間に掛け渡される。このフレーム７２ｋは、コネクタ保護カバー７０がコネクタロック部材３３１・３３２に取り付けられた後において、仮にコネクタ保護カバー７０のフックカバー７１ｈと固定凹部７２ｄとの間に隙間があり、当該部分から針金や治具を入れて係合フック７１ｄと掛止部７２ｅとの掛止を解除しようとしたとしても、フレーム７２ｋが当該行為を阻害し、不正行為を防止することが可能である。
【００８６】
また、図５および図６（Ｂ）・（Ｃ）に示すように第２カバー片７２においては、板状部材７２ａの係合凸部７２ｃ側（固定凹部７２ｄの反対側）の端縁において、上面カバー７２ｇおよび当該板状部材７２ａと直交するようにコネクタロック部材３３２の側面（本発明における「第３の側面」または「第４の側面」の一例に該当する）を覆う側面カバー７２ｍが設けられており、当該側面カバー７２ｍ部分からのコネクタロック部材３３２等に対するアクセスできないようにされている。
【００８７】
図５および図６（Ａ）・（Ｃ）に示すように第２カバー片７２は、上面カバー７２ｇと連続し、当該上面カバー７２ｇおよび側面カバー７２ｍと直交し、かつ板状部材７２ａと平行に突出する第２切除部７２ｆが設けられている。この第２切除部７２ｆの突出方向における縁部（一対の辺）には、図５および図６（Ｂ）に示すように板状部材７２ａ側（係合凸部７２ｃの突出方向と反対側）へ向かって突出する一対の辺縁部７２ｎが設けられている。この一対の辺縁部７２ｎそれぞれの間は少なくとも第１切除部７１ｆの幅より広くなるように形成される。この辺縁部７２ｎによってコネクタ保護カバー７０が組み合わされた後に（図１２・図１３参照）、第１切除部７１ｆと第２切除部７２ｆとの間に治具等を入れる余地がなく第１切除部７１ｆと第２切除部７２ｆとを治具等によりずらすなどして、不正にコネクタ保護カバー７０を解体させ、雄コネクタ３８等にアクセスすることができないように構成されている。
【００８８】
また図５および図６（Ｃ）に示すように、第２切除部７２ｆの基部において第２切除部７２ｆの幅方向に伸長する挿通孔７２ｈが形成される。この挿通孔７２ｈの幅方向へ伸長する長さは、少なくとも第１切除部７１ｆを挿通可能な長さとなる。この挿通孔７２ｈから、第１切除部７１ｆが挿通される。
【００８９】
（コネクタ保護カバーの取付工程）
次に、図５および図７〜図１２を参照してコネクタ保護カバー７０について説明する。図７は、第１実施形態にかかる雌コネクタ３３および、取付前の第１カバー片および取付後の第２カバー片を示す概略斜視図である。図８は、第１実施形態にかかる雌コネクタ３３および、取付直前の第１カバー片および取付後の第２カバー片を示す概略斜視図である。図９は、第１実施形態にかかる雌コネクタ３３および、第１切除部７１ｆ挿通時の第１カバー片７１および取付後の第２カバー片７２を示す概略斜視図である。
【００９０】
図１０（Ａ）は、第１実施形態にかかる雌コネクタ３３および、第１切除部７１ｆを挿通した時の第１カバー片７１および取付後の第２カバー片７２を示す概略平面図である。図１０（Ｂ）は、図１０（Ａ）の矢視Ｘ方向から見た概略側面図である。図１１は、第１実施形態にかかる雌コネクタ３３および、取付後およびロック後のコネクタ保護カバー７０を示す概略斜視図である。図１２（Ａ）は、第１実施形態にかかる雌コネクタ３３および、取付後・ロック後の第２カバー片を示す概略平面図である。また、図１２（Ｂ）は、図１２（Ａ）の矢視Ｘ方向から見た概略側面図である。また、図１２（Ｃ）は、図１２（Ｂ）におけるＡ−Ａ断面図である。なお図６においては、カバー部材３１１およびケーブル３９についてその全体を示すことなく、一部図示を省略している。
【００９１】
また以下の説明では、例として第１カバー片７１より先に第２カバー片７２をコネクタロック部材３３１・３３２に取り付ける工程を説明するが、本実施形態にかかるコネクタ保護カバー７０においては第１カバー片７１から先に取り付ける工程によってコネクタ保護カバー７０を取り付けることも可能である。
【００９２】
図５に示すように、コネクタ保護カバー７０の取り付け前においては第１カバー片７１および第２カバー片７２がコネクタロック部材３３１・３３２に取り付けられておらず、コネクタロック部材３３１・３３２を解除して、雌コネクタ３３から雄コネクタ３８を解除可能な状態となっている。
【００９３】
まず図５に示す状態から、図７に示すように第２カバー片７２を取り付ける。このとき第２カバー片７２の係合凸部７２ｂをコネクタロック部材３３１の係合孔３３６に係合させ、係合凸部７２ｃをコネクタロック部材３３２の係合孔３３８に係合させる。
【００９４】
次に図７に示す状態から、図８に示すように第１カバー片７１を第１切除部７１ｆが第２カバー片７２の挿通孔７２ｈに挿通可能なように傾ける。
【００９５】
次に図８に示す状態から、図９および図１０（Ａ）・（Ｂ）に示すように第１カバー片７１の第１切除部７１ｆを第２カバー片７２の挿通孔７２ｈに挿通させる。このとき、第１カバー片７１の板状部材７１ａにおける段差７１ｅ側の膨出された部分が挿通孔７２ｈの縁部に当接し、段差７１ｅ部分より奥に第１カバー片７１が差し込まれないように構成されている。したがって、第１カバー片７１が第２カバー片７２の挿通孔７２ｈに必要以上に差し込まれず、係合フック７１ｄを固定凹部７２ｄに収容させる際における、位置調整といった煩雑な作業を回避することが可能である。
【００９６】
次に図９に示す状態から、当該第１カバー片７１の第１切除部７１ｆと第２カバー片７２の挿通孔７２ｈとの接触部分を支点として第１カバー片７１を回動させ、図１１および図１２（Ａ）〜（Ｃ）に示すように第１カバー片７１における係合フック７１ｄを固定凹部７２ｄに収容させる。図１１に示すように当該作業が完了した状態においては、図１２（Ｃ）に示すように、固定凹部７２ｄ内で、第１カバー片７１の係合フック７１ｄが、掛止部７２ｅに掛止され、第１カバー片７１と第２カバー片７２とが固定され、コネクタ保護カバー７０とコネクタロック部材３３１・３３２とが固定される。
【００９７】
このとき図１１および図１２（Ｂ）に示すようにコネクタ保護カバー７０がコネクタロック部材３３１・３３２の係止爪３３３と雄コネクタ３８との接点を含むコネクタロック部材３３１・３３２の全体を覆う。さらに図１２（Ｃ）に示すようにコネクタ保護カバー７０は、コネクタ保護カバー７０とコネクタロック部材３３１・３３２との間に隙間が生じないように全体を覆っている。したがって、隙間から治具等を入れ込むことが困難である。
【００９８】
図１１および図１２（Ａ）〜（Ｃ）に示すようにコネクタ保護カバー７０がロックされると、第１切除部７１ｆおよび第２切除部７２ｆを切除しない限り当該ロック状態を解除できなくなる。また、コネクタ保護カバー７０は、コネクタロック部材３３１・３３２だけでなく、コネクタロック部材３３１・３３２の係止爪３３３等と雄コネクタ３８との接点等も覆っているので、コネクタ保護カバー７０を取り壊さない限り、雌コネクタ３３と雄コネクタ３８との接続の解除をすることは困難である。
【００９９】
（コネクタ保護カバーの取り外し工程）
次に、図１３を参照してコネクタ保護カバー７０の取り外し工程について説明する。図１３（Ａ）は、第１実施形態における主制御基板ケース３１および切除前のコネクタ保護カバー７０を示す概略斜視図である。図１３（Ｂ）は、第１実施形態における主制御基板ケース３１および切除後のコネクタ保護カバー７０を示す概略斜視図である。なお、図１３においては、ケーブル３９についてその全体を示すことなく、一部図示を省略している。
【０１００】
図１３（Ａ）に示すようにコネクタ保護カバー７０が取り付けられた状態から、図１３（Ｂ）に示すように第１切除部７１ｆおよび第２切除部７２ｆをともに切断すると、第１カバー片７１と第２カバー片７２の固定状態が解除されるので、図１３（Ｂ）に示すように第１カバー片７１を第２カバー片７２から取り外し、コネクタロック部材３３１・３３２のロック状態が解除可能となる。
【０１０１】
このようにして、コネクタや主制御基板３０のメンテナンスや交換を行う際には、コネクタ保護カバー７０の第１切除部７１ｆと第２切除部７２ｆとを治具などでともに切断するのみで行うことができる。したがって、当該作業を容易に行うことができる。
【０１０２】
（効果）
以上説明した本実施形態にかかるパチスロ機１０の効果について説明する。
【０１０３】
本実施形態にかかるパチスロ機１０は、スタートレバー１７等に接続された中継基板５０と、主制御基板３０とを雄コネクタ３８を雌コネクタ３３に嵌合させて接続しており、この接続を固定するコネクタロック部材３３１・３３２を備えている。そしてこのコネクタロック部材３３１・３３２の全体を隙間が生じないように覆い、かつロックされるコネクタ保護カバー７０を備えている。さらにこのコネクタ保護カバー７０は、その一端における第１切除部７１ｆ、第２切除部７２ｆが切除されることにより、ロック状態を解除可能となっている。
【０１０４】
したがって、本実施形態のパチスロ機１０では、中継基板５０と主制御基板３０との接続に用いるケーブルやコネクタを不正に取り外されないように、コネクタロック部材３３１・３３２を保護している。また、コネクタ保護カバー７０が破壊されてコネクタの取り外しが行われた場合、当該取り外し行為を容易に発見することが可能であり、遊技場における損害を未然に回避することが可能である。
【０１０５】
また、本実施形態のパチスロ機１０は、雄コネクタ３８や、主制御基板３０、中継基板５０の交換時において、コネクタ保護カバー７０の一端（第１切除部７１ｆ・第２切除部７２ｆ）を切除することで、コネクタ保護カバー７０の取り外しをすることができる。したがって遊技場側によるパチスロ機１０のメンテナンスや遊技機種の交換時には、雄コネクタ３８を雌コネクタ３３から取り外さなければならないが、コネクタ保護カバー７０を容易に取り外すことができ、メンテナンス・交換作業の効率を向上させることが可能である。
【０１０６】
さらに、本実施形態のパチスロ機１０は、コネクタ保護カバー７０の一端を切除することで、コネクタ保護カバー７０の取り外しをすることができるので、コネクタ保護カバー７０のロックを解除させるときに、コネクタ保護カバー７０とともにコネクタを破損してしまう事態を防止することができる。
【０１０７】
（変形例）
本実施形態におけるパチスロ機１０においては図２に示すように主制御基板ケース３１がパチスロ機１０の機本体１１の後側の内壁に固定され、かつ図１４に示すように、コネクタ保護カバー７０の第１切除部７１ｆ、第２切除部７２ｆがパチスロ機１０の下方を向くように取り付けられるが、本発明はこれに限定されない。例えばコネクタ保護カバー７０を取り付け、ロックした場合に、第１切除部７１ｆ、第２切除部７２ｆがパチスロ機１０の上方を向くように構成してもよい。
【０１０８】
このような構成によれば、図２に示すようなパチスロ機１０の機本体１１において主制御基板ケース３１が上側に取り付けられる場合、当該上側は下方や中央部分と比較してケーブルや基板、その他の部材が少ないため、コネクタ保護カバー７０の取り外し工程をより簡便に行うことが可能となる。
【０１０９】
本実施形態におけるパチスロ機１０のコネクタ保護カバー７０においては図５に示すように、第１カバー片７１に挿し込む側の第１切除部７１ｆおよび段差７１ｅを形成し、第２カバー片７２に差し込まれる側の第２切除部７２ｆおよび挿通孔７２ｈを形成して構成されているが、本発明はこれに限られない。例えば第１カバー片７１に差し込まれる側の第２切除部７２ｆおよび挿通孔７２ｈを形成し、固定凹部７２ｄを有する第２カバー片７２に挿し込む側の第１切除部７１ｆおよび段差７１ｅを形成して構成してもよい。
【０１１０】
このような構成によっても、遊技場側によるパチスロ機１０のメンテナンスや遊技機種の交換時には、コネクタ保護カバー７０を容易に取り外すことができ、メンテナンス・交換作業の効率を向上させることが可能である。
【０１１１】
本実施形態におけるパチスロ機１０においては図５に示すように、雄コネクタ３８と雌コネクタ３３との接続を固定するコネクタロック部材３３１・３３２を雌コネクタ３３の両端に形成し、コネクタロック部材３３１・３３２にコネクタ保護カバー７０の係合凸部７１ｂ・７１ｃ・７２ｂ・７２ｃと係合する係合孔３３５〜３３８を形成するように構成されているが、本発明はこれに限定されない。例えば、雌コネクタ３３に係合孔を設け、コネクタ保護カバー７０の係合凸部を当該係合孔に係合するように構成してもよい。
【０１１２】
このような構成によれば、コネクタロック部材３３１・３３２が設けられない雌コネクタ３３にでもコネクタ保護カバー７０によって覆いロックすることができる。
【０１１３】
また本実施形態におけるパチスロ機１０においてはコネクタ保護カバー７０に係合凸部７１ｂ・７１ｃ・７２ｂ・７２ｃを形成し、コネクタロック部材３３１・３３２に係合孔３３５〜３３８を形成するように構成されているが、この凸部と係合孔を入れ替えるように構成してもよい。
【０１１４】
また、本実施形態においてはコネクタ保護カバー７０をパチスロ機１０に適用した場合について説明したが、いわゆるパロット機、パチンコ機等にも適用することが可能である。
【０１１５】
［第２の実施の形態］
（構成）
次に、本発明の第２実施の形態にかかるパチスロ機１０のコネクタ保護カバー７０について説明する。
【０１１６】
第２実施形態にかかるパチスロ機１０は、第１実施形態と比較してコネクタ保護カバーの構造が異なり、その他の構成は第１実施形態と同じ構成である。したがって以下、コネクタ保護カバー７０における第１実施形態と異なる点のみについて図１４を参照して説明する。その他の構成については、その説明を省略する。
【０１１７】
図１４（Ａ）は、第２実施形態にかかるカバー部材３１１および、取付前のコネクタ保護カバー７０を示す概略平面図である。図１４（Ｂ）は、図１４（Ａ）の矢視Ｘ方向から見た概略側面図である。図１４（Ｃ）は、図１４（Ｂ）におけるＡ−Ａ断面図である。なお、図１４（Ａ）〜（Ｃ）についてはケーブル３９、カバー部材３１１の一部を示し、その他の部分は図示を省略している。
【０１１８】
第２実施形態にかかるコネクタ保護カバー７０も第１カバー片７１と第２カバー片７２によって構成される。図１４（Ａ）〜（Ｃ）に示すように、第１実施形態と異なる点は、まず第１切除部７１ｆにも係合フック７１ｋ、フックカバー７１ｍが設けられ、さらに第２切除部７２ｆには挿通孔７２ｈではなく固定凹部７２ｐが設けられることである。この係合フック７１ｋは係合フック７１ｄと同じ構成である。また、固定凹部７２ｐも固定凹部７２ｄと同じ構成である。
【０１１９】
第２実施形態においては挿通孔７２ｈに第１切除部７１ｆが挿通されるということがないので、板状部材７１ａに段差７１ｅおよび膨出部分は設けられない。
【０１２０】
第２実施形態におけるコネクタ保護カバー７０は、第１カバー片７１または第２カバー片７２のいずれか一方をコネクタロック部材３３１・３３２に取り付ける。次に他方を取り付け、係合フック７１ｄを固定凹部７２ｄに収容して固定し、係合フック７１ｋを固定凹部７２ｐに収容して固定し、第１カバー片７１と第２カバー片７２とを固定し、コネクタ保護カバー７０とコネクタロック部材３３１・３３２とをロックする。
【０１２１】
コネクタ保護カバー７０のロックを解除し、コネクタ保護カバー７０をコネクタロック部材３３１・３３２から取り外す際は、第１切除部７１ｆ、第２切除部７２ｆともに切除する。
【０１２２】
このような構成によっても、遊技場側によるパチスロ機１０のメンテナンスや遊技機種の交換時には、コネクタ保護カバー７０を容易に取り外すことができ、メンテナンス・交換作業の効率を向上させることが可能である。
【０１２３】
また第２実施形態のパチスロ機１０では、中継基板５０と主制御基板３０との接続に用いるケーブルやコネクタを不正に取り外されないように、コネクタロック部材３３１・３３２を保護している。また、取り外し行為を容易に発見することが可能であり、遊技場における損害を未然に回避することが可能である。
【０１２４】
さらに、本実施形態のパチスロ機１０は、コネクタ保護カバー７０の一端を切除することで、コネクタ保護カバー７０の取り外しをすることができるので、コネクタ保護カバー７０のロックを解除させるときに、コネクタ保護カバー７０とともにコネクタを破損してしまう事態を防止することができる。
【図面の簡単な説明】
【０１２５】
【図１】第１実施形態にかかるパチスロ機の概略正面図である。
【図２】第１実施形態にかかるパチスロ機の前扉が開かれた状態において、パチスロ機の機本体における内部構成を前から見た概略正面図である。
【図３】第１実施形態にかかるパチスロ機の制御系を示す概略ブロック図である。
【図４】（Ａ）第１実施形態にかかる主制御基板ケースを示す概略斜視図である。（Ｂ）図４（Ａ）におけるＡ−Ａ断面図である
【図５】第１実施形態にかかる主制御基板と中継基板との接続に用いる雌コネクタおよび、取付前のコネクタ保護カバーを示す概略斜視図である。
【図６】（Ａ）第１実施形態にかかるカバー部材および、取付前のコネクタ保護カバーを示す概略平面図である。（Ｂ）図６（Ａ）の矢視Ｘ方向から見た概略側面図である。（Ｃ）図６（Ｂ）におけるＢ−Ｂ断面図である。
【図７】第１実施形態にかかる雌コネクタおよび、取付前の第１カバー片および取付後の第２カバー片を示す概略斜視図である。
【図８】第１実施形態にかかる雌コネクタおよび、取付直前の第１カバー片および取付後の第２カバー片を示す概略斜視図である。
【図９】第１実施形態にかかる雌コネクタおよび、第１切除部を挿通した時の第１カバー片および取付後の第２カバー片を示す概略斜視図である。
【図１０】（Ａ）第１実施形態にかかる雌コネクタおよび、第１切除部を挿通した時の第１カバー片および取付後の第２カバー片を示す概略平面図である。（Ｂ）図６（Ａ）の矢視Ｘ方向から見た概略側面図である。
【図１１】第１実施形態にかかる雌コネクタおよび、取付後・ロック後の第２カバー片を示す概略斜視図である。
【図１２】（Ａ）第１実施形態にかかる雌コネクタおよび、取付後・ロック後の第２カバー片を示す概略平面図である。（Ｂ）図１２（Ａ）の矢視Ｘ方向から見た概略側面図である。（Ｃ）図１２（Ｂ）におけるＣ−Ｃ断面図である。
【図１３】（Ａ）第１実施形態における主制御基板ケースおよび切除前のコネクタ保護カバーを示す概略斜視図である。（Ｂ）第１実施形態における主制御基板ケースおよび切除後のコネクタ保護カバーを示す概略斜視図である。
【図１４】（Ａ）第２実施形態にかかるカバー部材および、取付前のコネクタ保護カバーを示す概略平面図である。（Ｂ）図１４（Ａ）の矢視Ｘ方向から見た概略側面図である。（Ｃ）図１４（Ｂ）におけるＤ−Ｄ断面図である。
【符号の説明】
【０１２６】
１０  パチスロ機
１１  機本体
１２  前扉
１３  メダル投入口
１４  ＢＥＴボタン
１５  ＭＡＸＢＥＴボタン
１６  クレジットボタン
１７  スタートレバー
１８  ストップボタン
１９  回転リール
３０  主制御基板
３０ａ・４０ａ・５０ａ  ＣＰＵ
３０ｂ・４０ｂ・５０ｂ  ＲＯＭ
３０ｃ・４０ｃ・５０ｃ  ＲＡＭ
３０ｄ  乱数発生器
３１  主制御基板ケース
３２  打ち込みネジ
３３〜３７  雌コネクタ
３８  雄コネクタ
３９  ケーブル
４０  副制御基板
５０  中継基板
７０  コネクタ保護カバー
７１  第１カバー片
７１ａ・７２ａ  板状部材
７１ｂ・７１ｃ・７２ｂ・７２ｃ  係合凸部
７１ｄ・７１ｋ  係合フック
７１ｅ  段差
７１ｆ  第１切除部
７１ｇ・７２ｇ  上面カバー
７１ｈ・７１ｍ  フックカバー
７２  第２カバー片
７２ｄ・７２ｐ  固定凹部
７２ｅ  掛止部
７２ｈ  挿通孔
７２ｋ  フレーム
７２ｍ  側面カバー
７２ｎ  辺縁部
３１１  カバー部材
３３１・３３２  コネクタロック部材
【図１】
0004884353.tif 000002
【図２】
0004884353.tif 000003
【図３】
0004884353.tif 000004
【図４】
0004884353.tif 000005
【図５】
0004884353.tif 000006
【図６】
0004884353.tif 000007
【図７】
0004884353.tif 000008
【図８】
0004884353.tif 000009
【図９】
0004884353.tif 000010
【図１０】
0004884353.tif 000011
【図１１】
0004884353.tif 000012
【図１２】
0004884353.tif 000013
【図１３】
0004884353.tif 000014
【図１４】
0004884353.tif 000015